(57)【特許請求の範囲】
【請求項１】
水平方向の枠組みされた架台上において、前部に柱支持体、離れた後部に柱受台を、略同じ高さに配設し、柱支持体に水平の支軸を介して風車柱体を、その上部を柱受台方向へ倒起可能に枢着し、前記水平の支軸を支点に、風車柱体が傾倒される時、その風車柱体の上部が、柱受台で支持、固定されて、そのまま移動されるようにしたことを特徴とする移動風車の架台。
【請求項２】
前記架台の、少なくとも上部の四隅部に、ワイヤを掛けて吊下可能なフックを配設していることを特徴とする請求項１に記載の移動風車の架台。
【請求項３】
前記柱支持体の後部にワイヤ案内ローラを、前後向きに回転可能に配設し、前記風車柱体の下端部に一端部を固定された牽引ワイヤを、ワイヤ案内ローラの前から下後方向へ巻着して、牽引ワイヤを架台の後方向へ向けて牽引することにより、傾倒されている風車柱体の下部が後下方向へ引かれて、風車柱体が起立するように構成していることを特徴とする請求項１または２に記載の移動風車の架台。
【請求項４】
前記架台における前記柱支持体の後方に、前記風車柱体の下端部に一端部が固定された牽引ワイヤを牽引するための牽引装置を配設してあることを特徴とする請求項１〜３の何れかに記載の移動風車の架台。  
【請求項５】
前記架台の下面前後に、車輪用の車軸受が固定可能に形成されていることを特徴とする請求項１〜４の何れかに記載の移動風車の架台。
【請求項６】
水平方向の枠組みされた架台上において、前部に柱支持体、離れた後部に柱受台が、略同じ高さに配設され、柱支持体に水平の支軸を介して風車柱体を、その上部を柱受台方向へ倒起可能に枢着し、該風車柱体の上部に風力発電機を固定し、前記水平の支軸を支点に、風車柱体が傾倒される時、その風車柱体の上部が、柱受台で支持、固定されて、そのまま移動され、現場で水平の支軸を支点として、風車柱体を垂直に起立固定しうるようになっていることを特徴とする移動風車。
【発明の詳細な説明】
【技術分野】
【０００１】
本発明は、移動風車の架台並びに移動風車に係り、特に架台に風車支柱を倒起可能に配設し、そのままか風車支柱に風車を装着した状態で移動させ、地震被災地などの現場で、直ぐに風力発電をさせることのできる移動風車の架台、並びに移動風車に関する。
【背景技術】
【０００２】
従来、風力発電機用の風車は、例えば特許文献１のように、現場に固定ベースを建設し、固定的に立設されている。
【特許文献１】特開２００５−１７１８５２号公報
【発明の開示】
【発明が解決しようとする課題】
【０００３】
従来の風車は、地面などに固定されているため、移動させることは困難である。例えば地震などの大きな災害があると、道路が寸断され、また電柱が倒れ、電線が切断されて、被災地での電力に支障を来す。
ガソリンエンジン式の発電機も、石油がなければ役に立たない。このような時に、風力発電機を被災地へ搬送することが出来れば、風力を利用して、大容量の電力を供給することができる。本発明は、風力発電機を容易に移動させるための移動風車の架台、並びに架台上に起倒可能に取着けた移動風車を提供することを目的としている。
【課題を解決するための手段】
【０００４】
本発明の具体的な内容は、次の通りである。
【０００５】
（１）水平方向の枠組みされた架台上において、前部に柱支持体、離れた後部に柱受台を、略同じ高さに配設し、柱支持体に水平の支軸を介して風車柱体を、その上部を柱受台方向へ倒起可能に枢着し、前記水平の支軸を支点に、風車柱体が傾倒される時、その風車柱体の上部が、柱受台で支持、固定されて、そのまま移動されるようにしたことを特徴とする移動風車の架台。
【０００６】
（２）  前記架台の、少なくとも上部の四隅部に、ワイヤを掛けて吊下可能なフックを配設している前記（1）に記載の移動風車の架台。
【０００７】
（３）  前記柱支持体の後部にワイヤ案内ローラを、前後向きに回転可能に配設し、前記風車柱体の下端部に一端部を固定された牽引ワイヤを、ワイヤ案内ローラの前から下後方向へ巻着して、牽引ワイヤを架台の後方向へ向けて牽引することにより、傾倒されている風車柱体の下部が後下方向へ引かれて、風車柱体が起立するように構成している前記（1）または（2）に記載の移動風車の架台。
【０００８】
（４）  前記架台における前記柱支持体の後方に、前記風車柱体の下端部に一端部が固定された牽引ワイヤを牽引するための牽引装置を配設してあることを特徴とする請求項前記（1）〜（3）の何れかに記載の移動風車の架台。  
【０００９】
（５）  前記架台の下面前後に、車輪用の車軸受が固定可能に形成されている前記（1）〜（4）の何れかに記載の移動風車の架台。
【００１０】
（６）  水平方向の枠組みされた架台上において、前部に柱支持体、離れた後部に柱受台が、略同じ高さに配設され、柱支持体に水平の支軸を介して風車柱体を、その上部を柱受台方向へ倒起可能に枢着し、該風車柱体の上部に風力発電機を固定し、前記水平の支軸を支点に、風車柱体が傾倒される時、その風車柱体の上部が、柱受台で支持、固定されて、そのまま移動され、現場で水平の支軸を支点として、風車柱体を垂直に起立固定しうるようになっている移動風車。
【発明の効果】
【００１１】
本発明によると、次のような効果が奏せられる。
【００１２】
前記（１）に記載の移動風車の架台は、架台上に柱支持体を介して風車柱体が倒起可能に配設されているので、風車柱体を水平の支軸を支点として傾倒させると、風車支柱の上部は柱受台に支承される。このままか又は、風車支柱の上部に風力発電機を装着して、架台ごと適宜の移動手段によって移動させることができる。
トラックの通れない場所なら、ヘリコプターに吊って、或いは船に積載して移動させることができる。
地震被災地などに移動させ、現場において、風車柱体に風力発電機が装着されていない時は装着して、支軸を支点として、風車柱体を垂直に起立させて固定する。
移動手段がトラックの場合は、トラック上で水平に保持すると、風があれば風力発電機の風車が回転して、直ちに発電をさせることができる。
【００１３】
前記（２）に記載の移動風車の架台では、少なくとも上部の四隅部に、ワイヤを掛けるフックが配設されているので、乗物による移動においては動かないように固定するワイヤを掛けることができる。また、フックにワイヤをかけてヘリコプターに吊ることができる。
【００１４】
前記（３）に記載の移動風車の架台では、柱支持体の後部にワイヤ案内ローラが前後向きに回転可能に配設され、前記風車柱体の下端部に一端部を固定された牽引ワイヤが、ワイヤ案内ローラの前から下後方向へ巻着されているので、牽引ワイヤを架台の後方向へ向けて引くことにより、傾倒されている風車柱体を容易に起立させることができる。
【００１５】
前記（４）に記載の移動風車の架台は、前記柱支持体の後方部に、前記風車柱体の下端部に一端部を固定された牽引ワイヤを牽引するための牽引装置が配設されているので、容易に牽引ワイヤを牽引して、傾倒されている風車柱体を起立させることができる。
【００１６】
前記（５）に記載の移動風車の架台は、下面前後に、車輪用の車軸受が固定可能に形成されているので、あらかじめ車軸受を架台下部に固定して車輪を装着させると、架台を容易に移動させることができ、例えば小型自動車、トラクターなどで牽引することができる。
【００１７】
前記（６）に記載の移動風車は、移動可能な架台の上に、風車柱体が柱支持体によって支持され、かつ支軸を支点として倒起可能に配設されているので、傾倒させて上部を柱受台に支承させることによって、トラックの荷台にも積載することができる。移動した先で風車柱体を垂直に起立させることによって、風さえあれば、直ちに風車を回転させて発電をさせ、電力を得ることができる。
【発明を実施するための最良の形態】
【００１８】
頑丈に形成された架台に、柱支持体が立設され、該柱支持体に支軸を介して風車柱体が倒起可能に固定されている。風車柱体を傾倒させたとき、柱受台により略水平に支持される。そのまま、又は風車柱体の上部に風力発電機を装着した状態で、トラックなどによって移動させることができる。
【実施例１】
【００１９】
本発明の移動風車の架台の実施例１を、図面を参照して説明する。図１は、本発明にかかる移動風車の架台（以下単に架台という）の左側面図、図２は平面図であり、図の右側が前である。架台１は、平面において、基部２が枠材２ａにより長方形に枠組みされている。基部２の上部中ほどに床板２ｂが張着されている。
【００２０】
前記床板２ｂの前部幅方向の中央部に、断面略コ字形の柱支持体３が、開口を前向きに立設されている。また床板２ｂの後部中央部には、前向き筋交４ａを備える柱受台４が、横に長く配設されている。この柱支持体３と柱受台４の高さは、略同じに設定されている。図における符号２ｃはフック、３ａは筋交いである。
【００２１】
前記柱支持体３には、風車柱体５が立設され、柱支持体３の上部には、左右方向の水平の支軸６が貫設され、図３、図４に示すように、風車柱体５は、その支軸６を支点として、上部を柱受台４の方向へ傾倒させることができる。傾倒された状態で風車柱体５は、ほぼ水平に維持される。
【００２２】
図１において、符号７は、風車柱体５の下部を柱支持体３に固定しておく固定ピンである。また符号５ａはフックである。フック５ａと架台２のフック２ｃとの間に、図示しないワイヤを張設することによって、風車柱体５の揺動を抑制することができる。
【００２３】
図５は、風車柱体５を後方向へ傾倒させた状態を示す左側面図である。図５、図６において風車柱体５の先端部に風車16が装着されている。
風車16の風車基部17は、風車柱体５の先端部に固定されている。風車基部17の内部には、図示しない縦主軸が、風車柱体５と同心状に配設されている。
【００２４】
前記風車基部17の内部で縦主軸の周囲には、図示しない発電コイルが配設され、縦主軸の回転に伴って発電をする発電機が配設されている。
風車基部17より上に突出した縦主軸に装着された回転体18の周部には、複数の翼支持腕19が放射方向へ向いて突設され、その先端部に風車翼20が垂直に装着されている。図中の符号17ａは風車基部17に取り付けたキャップである。
【００２５】
図５に示す状態、或いは、風車16を取付けない状態で、この架台１を、トラック、船などで運搬する。道路が閉鎖されているような場合は、架台１の四隅に設けたフック２ｃにワイヤなどをかけて、ヘリコプターで現場まで運搬する。
【００２６】
図５において、風車柱体５を垂直にするには、風車16が小型の場合は、人手によって起立させることができる。又大型の場合は、クレーンなどの機器を使用することができる。
しかし、地震などの被災地に移動させる場合には、クレーンなどを使用することは困難である。従って、少人数の人手によって起立させる。
【００２７】
風車柱体５を垂直にし、風車16の風車翼20が回転出来る状態とすると、風さえあれば、風車16は回転して、発電をすることができる。
発電された電力は、一時的に架台１上の蓄電池21に蓄電し、必要な個所にコードを引いて給電させることができる。
【実施例２】
【００２８】
図７は、架台１の実施例２を示し、架台１上で傾倒されている風車柱体５を、垂直に起立させるための牽引装置８が、柱支持体３の後部に配設されている。
牽引装置８は、どのような構成でもよいが、図７においては、風車柱体５の下端部に形成されたフック５ｂに、一端を固定された牽引ワイヤ９が、ワイヤ案内ローラ10に巻着されて、後方へ牽引ワイヤ９を牽引するもので、図７においては、巻取ローラ11にウオームホイール12が併設され、ウオームホイール12の下側にウオーム13が噛合されている。
【００２９】
図８に例示するように、前記ウオーム13をクランク14で回転させると、巻取ローラ11はウオームホイール12と共に回転し、牽引ワイヤ９を架台１の後方向へ向けて引くことにより、風車柱体５の下端部を降下させて後方向へ移動させ、風車柱体５を柱支持体３の中に納めることができる。
【００３０】
次いで風車柱体５の下部を柱支持体３に、固定ピン７をもって固定させる。ウオーム13の回転は緩やかであるので、図８に示すようなクランク14の手回しでも、傾倒されている風車柱体６を容易に起立させることができる。勿論小型モータでウオーム13を回転させることができる。
【実施例３】
【００３１】
図９は、架台１の実施例３の側面図である。この実施例３の架台１は、下部に車輪15を着脱自在に配設したものである。
これによって、架台１を人手で牽引し、或いは農業用トラクター等で牽引することができる。なお、図10に示すように、風車をプロペラ式とすることも出来る。
【産業上の利用可能性】
【００３２】
この発明は、架台上に風車支柱を倒立可能に配設した風車の架台で、このままか架台上の風車支柱に風車を装着した状態で、地震などの被災地へ運搬して、現場で発電させることができるので、防災用、或いは電線の引かれていない僻地などでの風力発電に利用することができる。
【図面の簡単な説明】
【００３３】
【図１】本発明風車の架台の実施例１の側面図である。
【図２】図１の風車の架台の平面図である。
【図３】図１の風車の架台上の風車柱体を傾倒させた状態の側面図である。
【図４】図３の風車の架台の平面図である。
【図５】風車柱体に風車を装着した状態の架台の側面図である。
【図６】風車柱体に風車を装着した状態の架台の平面図である。
【図７】風車の架台の実施例２の側面図である。
【図８】図７における牽引装置の拡大側面図である。
【図９】風車の架台の実施例３の側面図である。
【図１０】プロペラ式風車を装着した風車の架台の側面図である。
【符号の説明】
【００３４】
１．移動風車の架台
２．基部  
２ａ．枠材
２ｂ．床板
２ｃ．フック
３．柱支持体
３ａ．筋交い
４．柱受台
４ａ．筋交い
５．風車支柱
６．支軸
７．固定ピン
８．牽引装置
９．牽引ワイヤ
１０．巻取案内ローラ
１１．巻取ローラ
１２．ウオームホイール
１３．ウオーム
１４．クランク
１５．車輪
１６．風車
１７．風車基部
１７ａ．キャップ
１８．回転体
１９．翼支持腕
２０．風車翼
２０ａ．傾斜部
２１．蓄電池
【図１】
0005348995.tif 000002
【図２】
0005348995.tif 000003
【図３】
0005348995.tif 000004
【図４】
0005348995.tif 000005
【図５】
0005348995.tif 000006
【図６】
0005348995.tif 000007
【図７】
0005348995.tif 000008
【図８】
0005348995.tif 000009
【図９】
0005348995.tif 000010
【図１０】
0005348995.tif 000011